【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
医薬品の売上データから統計データを作成する情報処理装置であって、
第１タイプの医療施設及び第２タイプの医療施設を含む複数の医療施設のそれぞれに販売された医薬品の売上データを取得する売上データ取得手段と、
前記第１タイプの医療施設と、前記第２タイプの医療施設とのペアの定義を取得するペア取得手段と、
前記第２タイプの医療施設に対する医薬品の売上データに基づいて、当該第２タイプの医療施設と前記ペアを構成する医療施設に対する当該医薬品の売上データを増加する増加手段と、
前記増加された売上データに基づいて統計データを生成する生成手段とを備えることを特徴とする情報処理装置。
【請求項２】
前記第１タイプの医療施設は、診療施設を含み、
前記第２タイプの医療施設は、薬局を含むことを特徴とする請求項１に記載の情報処理装置。
【請求項３】
前記ペア取得手段は、前記ペアに関連付けられた比率を更に取得し、
前記増加手段は、前記第２タイプの医療施設に対する売上データと、当該第２タイプの医療施設を含むペアに関連付けられた前記比率とに基づいて、当該第２タイプの医療施設と前記ペアを構成する医療施設に対する当該医薬品の売上データを増加することを特徴とする請求項１又は２に記載の情報処理装置。
【請求項４】
医薬品の売上データから統計データを作成する情報処理装置であって、
第１タイプの医療施設、第２タイプの医療施設及び第３タイプの医療施設を含む複数の医療施設のそれぞれに販売された医薬品の売上データを取得する売上データ取得手段と、
前記第３タイプの医療施設と、前記第１タイプの医療施設又は前記第２タイプの医療施設とのペアの定義を取得するペア取得手段と、
前記第３タイプの医療施設に対する医薬品の売上データに基づいて、当該第３タイプの医療施設と前記ペアを構成する医療施設に対する当該医薬品の売上データを増加する増加手段と、
前記第１タイプの医療施設については医療施設ごとの売上データを示し、前記第２タイプの医療施設については２つ以上の前記第２タイプの医療施設を含むグループごとに合計された売上データを示す統計データを生成する生成手段とを備えることを特徴とする情報処理装置。
【請求項５】
前記ペア取得手段は、前記ペアに関連付けられた比率を更に取得し、
前記増加手段は、前記第３タイプの医療施設に対する売上データと、当該第３タイプの医療施設を含むペアに関連付けられた前記比率とに基づいて、当該第３タイプの医療施設と前記ペアを構成する医療施設に対する当該医薬品の売上データを増加することを特徴とする請求項４に記載の情報処理装置。
【請求項６】
前記第１タイプの医療施設は、病床数が閾値以上の診療施設を含み、
前記第２タイプの医療施設は、病床数が前記閾値未満の診療施設を含み、
前記第３タイプの医療施設は、薬局を含むことを特徴とする請求項４又は５に記載の情報処理装置。
【請求項７】
前記医薬品と１つ以上の販売会社とを関連付ける情報を取得する手段を更に備え、
前記売上データ取得手段は、１つの医薬品について前記販売会社ごとに前記医薬品の売上データを取得し、
前記増加手段は、１つの医薬品について当該医薬品に関連付けられた販売会社ごとに前記ペアを構成する医療施設に対する売上データを増加し、
前記生成手段は、１つの医薬品について当該医薬品に関連付けられた販売会社ごとに前記統計データを作成することを特徴とする請求項１乃至６の何れか１項に記載の情報処理装置。
【請求項８】
コンピュータを、請求項１乃至７の何れか１項に記載された情報処理装置の各手段として機能させるためのプログラム。
【請求項９】
医薬品の売上データから統計データを作成する情報処理方法であって、
第１タイプの医療施設及び第２タイプの医療施設を含む複数の医療施設のそれぞれに販売された医薬品の売上データを取得する工程と、
前記第１タイプの医療施設と、前記第２タイプの医療施設とのペアの定義を格納するペア格納手段から前記ペアの定義を取得する工程と、
前記第２タイプの医療施設に対する医薬品の売上データに基づいて、当該第２タイプの医療施設と前記ペアを構成する医療施設に対する当該医薬品の売上データを増加する工程と、
前記増加された売上データに基づいて統計データを生成する工程とを有することを特徴とする情報処理方法。
【請求項１０】
医薬品の売上データから統計データを作成する情報処理方法であって、
第１タイプの医療施設、第２タイプの医療施設及び第３タイプの医療施設を含む複数の医療施設のそれぞれに販売された医薬品の売上データを取得する工程と、
前記第３タイプの医療施設と、前記第１タイプの医療施設又は前記第２タイプの医療施設とのペアの定義を格納するペア格納手段から前記ペアの定義を取得する工程と、
前記第３タイプの医療施設に対する医薬品の売上データに基づいて、当該第３タイプの医療施設と前記ペアを構成する医療施設に対する当該医薬品の売上データを増加する工程と、
前記第１タイプの医療施設については医療施設ごとの売上データを示し、前記第２タイプの医療施設については２つ以上の前記第２タイプの医療施設を含むグループごとに合計された売上データを示す統計データを生成する工程とを有することを特徴とする情報処理方法。
【手続補正２】
【補正対象書類名】明細書
【補正対象項目名】０００５
【補正方法】変更
【補正の内容】
【０００５】
上記課題に鑑みて、一部の実施形態では、医薬品の売上データから統計データを作成する情報処理装置であって、第１タイプの医療施設及び第２タイプの医療施設を含む複数の医療施設のそれぞれに販売された医薬品の売上データを取得する売上データ取得手段と、前記第１タイプの医療施設と、前記第２タイプの医療施設とのペアの定義を取得するペア取得手段と、前記第２タイプの医療施設に対する医薬品の売上データに基づいて、当該第２タイプの医療施設と前記ペアを構成する医療施設に対する当該医薬品の売上データを増加する増加手段と、前記増加された売上データに基づいて統計データを生成する生成手段とを備えることを特徴とする情報処理装置が提供される。
【手続補正３】
【補正対象書類名】明細書
【補正対象項目名】００４１
【補正方法】変更
【補正の内容】
【００４１】
上述の実施形態で生成される統計データファイル９００では、ＨＰブリック（例えば、ブリックコードが「Ｂ４」のブリック）では、単独の医療施設（例えば、施設コードが「Ｆ５」の施設）について売上個数が提示され、ＧＰブリック（例えば、ブリックコードが「Ｂ２」のブリック）では、複数の医療施設（例えば、施設コードが「Ｆ２」、「Ｆ３」、「Ｆ６」、…の施設）について合計された売上個数が提示される。さらに、この統計データファイル９００では、点薬局定義を反映した売上データが提示される。統計データファイル１０００についても同様の内容が提示される。
本発明の一部の実施形態についてまとめると、以下のとおりである。
［項目１］
医薬品の売上データから統計データを作成する情報処理装置であって、
第１タイプの医療施設、第２タイプの医療施設及び第３タイプの医療施設を含む複数の医療施設のそれぞれに販売された医薬品の売上データを取得する取得手段と、
２つ以上の前記第２タイプの医療施設を含むグループの定義を格納するグループ格納手段と、
前記第３タイプの医療施設と、前記第１タイプの医療施設又は前記第２タイプの医療施設とのペアの定義を格納するペア格納手段と、
前記第３タイプの医療施設に対する医薬品の売上データに基づいて、当該第３タイプの医療施設と前記ペアを構成する医療施設に対する当該医薬品の売上データを増加する増加手段と、
前記第１タイプの医療施設については医療施設ごとの売上データを示し、前記第２タイプの医療施設については前記グループごとに合計された売上データを示す統計データを生成する生成手段とを備えることを特徴とする情報処理装置。
［項目２］
前記医薬品と１つ以上の販売会社とを関連付ける情報を格納する手段を更に備え、
前記取得手段は、１つの医薬品について前記販売会社ごとに前記医薬品の売上データを取得し、
前記増加手段は、１つの医薬品について当該医薬品に関連付けられた販売会社ごとに前記ペアを構成する医療施設に対する売上データを増加し、
前記生成手段は、１つの医薬品について当該医薬品に関連付けられた販売会社ごとに前記統計データを作成することを特徴とする項目１に記載の情報処理装置。
［項目３］
前記ペア格納手段は、前記ペアに関連付けられた比率を更に格納し、
前記増加手段は、前記第３タイプの医療施設に対する売上データと、当該第３タイプの医療施設を含むペアに関連付けられた前記比率とに基づいて、当該第３タイプの医療施設と前記ペアを構成する医療施設に対する当該医薬品の売上データを増加することを特徴とする項目１又は２に記載の情報処理装置。
［項目４］
前記第１タイプの医療施設は、病床数が閾値以上の診療施設を含み、
前記第２タイプの医療施設は、病床数が前記閾値未満の診療施設を含み、
前記第３タイプの医療施設は、薬局を含むことを特徴とする項目１乃至３の何れか１項に記載の情報処理装置。
［項目５］
コンピュータを、項目１乃至４の何れか１項に記載された情報処理装置の各手段として機能させるためのプログラム。
［項目６］
医薬品の売上データから統計データを作成する情報処理方法であって、
第１タイプの医療施設、第２タイプの医療施設及び第３タイプの医療施設を含む複数の医療施設のそれぞれに販売された医薬品の売上データを取得する工程と、
２つ以上の前記第２タイプの医療施設を含むグループの定義を格納するグループ格納手段から前記グループの定義を読み出す工程と、
前記第３タイプの医療施設と、前記第１タイプの医療施設又は前記第２タイプの医療施設とのペアの定義を格納するペア格納手段から前記ペアの定義を読み出す工程と、
前記第３タイプの医療施設に対する医薬品の売上データに基づいて、当該第３タイプの医療施設と前記ペアを構成する医療施設に対する当該医薬品の売上データを増加する工程と、
前記第１タイプの医療施設については医療施設ごとの売上データを示し、前記第２タイプの医療施設については前記グループごとに合計された売上データを示す統計データを生成する工程とを有することを特徴とする情報処理方法。
【手続補正４】
【補正対象書類名】図面
【補正対象項目名】図３
【補正方法】変更
【補正の内容】
【図３】
2015043193.tif 000001